【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
薬剤を収容するための複数のポケットを有する薬剤キャリアを含む薬剤ディスペンサで使用するためのシートドライバであって、前記ポケットが、第１のシートと第２のシートの長さに沿って間隔をあけて配置され、かつ第１および第２のシートの間に画成されており、前記第１および第２のシートは、互いに固着されかつ駆動可能な引張り作用によって分離可能であり、
前記シートドライバが、
（ａ）基部と、
（ｂ）前記基部から延び、回転軸を画成するシャフトと、
（ｃ）前記基部において、前記基部を前記回転軸の周りに回転させるための駆動力を受けるための駆動表面と、
（ｄ）前記シャフトの周りで、第１および第２のばね脚部を形成するねじりばねと、
（ｅ）前記回転軸の周りを回転するように前記シャフトおよび前記ねじりばねの周りに取り付けられ、前記薬剤キャリアのシートを受けるためのハブ表面を形成するハブと、を備え、
前記基部と前記ハブの相対的な回転により前記ねじりばねに張力が掛かるように、前記基部の第１の脚部受け入れ部が、前記ねじりばねの前記第１のばね脚部を受け、前記ハブの第２の脚部受け入れ部が、前記ねじりばねの前記第２のばね脚部を受ける、シートドライバ。
【請求項２】
前記基部は、本質的に円形である、請求項１に記載のシートドライバ。
【請求項３】
前記シャフトは、前記基部と一体である、請求項１または２に記載のシートドライバ。
【請求項４】
前記駆動表面は、歯車表面を形成する、請求項１から３のいずれか一項に記載のシートドライバ。
【請求項５】
前記駆動表面は、前記基部の周りの周方向に延びる、請求項１から４のいずれか一項に記載のシートドライバ。
【請求項６】
前記駆動表面は、前記基部と一体である、請求項１から５のいずれか一項に記載のシートドライバ。
【請求項７】
前記基部はリムを画定し、該リムは、前記駆動表面を備えている、請求項６に記載のシートドライバ。
【請求項８】
前記駆動表面は、前記基部と関連する別個の部品に備えられている、請求項１から５のいずれか一項に記載のシートドライバ。
【請求項９】
前記部品は、前記基部のリム上に嵌合し、該リムによって受けられるリングを含む、請求項８に記載のシートドライバ。
【請求項１０】
前記駆動表面は、前記リングの外周面に備えられている、請求項９に記載のシートドライバ。
【請求項１１】
前記基部およびリングがラチェット係合するように、前記リングの内周面は歯車を備えており、前記基部はラチェットアームを備える、請求項９または１０に記載のシートドライバ。
【請求項１２】
前記第１および第２のばね脚部は、前記ばねの第１および第２の端部から突出している、請求項１から１１のいずれか一項に記載のシートドライバ。
【請求項１３】
前記ハブは、前記ねじりばね、およびシャフトを覆うようにして嵌合している、請求項１から１２のいずれか一項に記載のシートドライバ。
【請求項１４】
前記ハブは、シート端部を係合するためのシート係合手段を備える、請求項１から１３のいずれか一項に記載のシートドライバ。
【請求項１５】
前記シート係合手段は、前記ハブと前記シートの間の摩擦接触を強化するために前記ハブに提供される表面マーキングまたはコーティングを含む、請求項１４に記載のシートドライバ。
【請求項１６】
前記シート係合手段は、シートの輪状になった端部を係合して受け入れるためのループ係合手段を備える、請求項１４に記載のシートドライバ。
【請求項１７】
前記基部に対する前記ハブの回転をロックするためのロックをさらに備える、請求項１から１６のいずれか一項に記載のシートドライバ。
【請求項１８】
前記ロックは、前記ねじりばねに張力が掛けられていないスタート位置から所定の回転間隔を空けて位置しており、ロックの位置は、前記ねじりばねの張力を定めるものである、請求項１７に記載のシートドライバ。
【請求項１９】
前記ハブは、前記基部の１つまたは複数のロックピンレシーバによって受けることができるロックピンを備える、請求項１７または１８に記載のシートドライバ。
【請求項２０】
前記基部は、前記ハブの１つまたは複数のロックピンレシーバによって受けることができるロックピンを備える、請求項１７または１８に記載のシートドライバ。
【請求項２１】
薬剤を収容するための複数のポケットを有する薬剤キャリアとともに使用する薬剤ディスペンサであって、前記ポケットは、第１のシートと第２のシートの長さに沿って間隔をあけて配置され、かつ第１および第２のシートの間に画成されており、前記第１および第２のシートは、互いに固着されかつ駆動可能な引張り作用によって分離可能であり、前記ディスペンサが、前記薬剤キャリア内に収容された前記薬剤にアクセスするための内部投薬機構を有し、
前記機構は、
ａ）前記薬剤キャリアのポケットを受け取るための開放ステーションと、
ｂ）前記開放ステーションで受け取られたポケットのベースシートおよび蓋シートを係合し、前記ポケットを開放するように配置されたベースシートと蓋シートを引き剥がすための剥離手段であって、前記開放ステーションで受け取られたポケットの蓋シートとベースシートを引き剥がすための請求項１から２０のいずれか一項に記載のシートドライバを含む前記剥離手段と、
ｃ）ユーザが前記開放されたポケットから薬剤を取り出すことができる前記開放されたポケットと連通するように配置された出口と、
ｄ）前記出口と連通して、前記薬剤ディスペンサとともに使用する薬剤キャリアのポケットを間欠送りするための間欠送り装置であって、一方の動きが他方の動きと関連するように前記シートドライバと相互に接続された前記間欠送り装置
とを備える、前記薬剤ディスペンサ。
【請求項２２】
薬剤を収容するための複数のポケットをそれぞれが有する複数の薬剤キャリアとともに使用する薬剤ディスペンサであって、前記ポケットが、第１のシートと第２のシートの長さに沿って間隔をあけて配置され、かつ第１および第２のシートの間に画成されており、前記第１および第２のシートは、互いに固着されかつ駆動可能な引張り作用によって分離可能であり、前記ディスペンサが、前記複数の薬剤キャリア内のそれぞれに収容された前記薬剤にアクセスするための内部投薬機構を有し、
前記機構は、
ａ）前記複数の薬剤キャリアそれぞれのポケットを受け取るための開放ステーションと、
ｂ）前記開放ステーションで受け取られたポケットのベースシートおよび蓋シートを係合し、前記ポケットを開放するように配置されたベースシートと蓋シートを引き剥がすための剥離手段であって、前記開放ステーションで受け取られたポケットの蓋シートとベースシートを引き剥がすための請求項１から２０のいずれか一項に記載のシートドライバを含む前記剥離手段と、
ｃ）ユーザが前記開放されたポケットから薬剤を取り出すことができる前記開放されたポケットと連通するように配置された出口と、
ｄ）前記出口と連通して、前記薬剤ディスペンサとともに使用する前記複数の薬剤キャリアのそれぞれのポケットを間欠送りするための間欠送り装置であって、一方の動きが他方の動きと関連するように前記シートドライバと相互に接続された前記間欠送り装置と
を備える、前記薬剤ディスペンサ。
【請求項２３】
前記間欠送り装置は、ポケットを受ける凹所をその中に有する回転可能な間欠送りホイールを備える、請求項２１または２２に記載の薬剤ディスペンサ。
【請求項２４】
前記間欠送り装置およびシートドライバを作動させるための間欠送りレバーをさらに備える、請求項２１から２３のいずれか一項に記載の薬剤ディスペンサ。
【請求項２５】
前記間欠送りレバーは、前記カバーの動きによって前記間欠送りレバーが動くように前記ディスペンサに備えられた可動カバーに結合している、請求項２４に記載の薬剤ディスペンサ。
【請求項２６】
前記剥離手段は、前記蓋シートとベースシートを前記開放ステーションで別々の通路に沿って案内するための案内手段をさらに備える、請求項２１から２５のいずれか一項に記載の薬剤ディスペンサ。
【請求項２７】
薬剤を収容する複数のポケットを有する少なくとも１つの薬剤キャリアをさらに備え、前記ポケットは、第１のシートと第２のシートの長さに沿って間隔をあけて配置され、かつ第１および第２のシートの間に画成されており、前記第１および第２のシートは、互いに固着されかつ駆動可能な引張り作用によって分離可能である、請求項２１から２６のいずれか一項に記載の薬剤ディスペンサ。
【請求項２８】
前記蓋シートとベースシートを前記駆動可能な引張り作用によって引き剥がすことができるように、前記少なくとも１つの薬剤キャリアが、ベースシートのブリスタの領域を除く部分に密封された蓋シートを備える、請求項２７に記載の薬剤ディスペンサ。
【請求項２９】
前記ベースシートまたは蓋シートのいずれかの先端が、前記ハブによって受けられるように輪状になっている、請求項２７または２８に記載の薬剤ディスペンサ。
【請求項３０】
前記薬剤が、粉剤または錠剤の形態である、請求項２７から２９のいずれか一項に記載の薬剤ディスペンサ。
【請求項３１】
前記薬剤が薬物を含む、請求項３０に記載の薬剤ディスペンサ。
【請求項３２】
前記薬物が、アルブテロール、サルメテロール、プロピオン酸フルチカゾンおよびジプロピオン酸ベクロメタゾンならびにそれらの塩または溶媒和物そしてそれらのいずれかの組合せからなる群から選択される、請求項３１に記載の薬剤ディスペンサ。
【請求項３３】
前記組合せが、キシナホ酸サルメテロールおよびプロピオン酸フルチカゾンを含む、請求項３２に記載の薬剤ディスペンサ。
【請求項３４】
前記薬剤がさらに賦形剤を含む、請求項３０から３３のいずれか一項に記載の薬剤ディスペンサ。